(57)【要約】      （修正有）【課題】虫や異物の混入または内容物の漏れを生じさせることなく、袋内の空気を抜くことができる通気性チャック付きサイドガゼット包装袋を提供する。【解決手段】開閉可能な密封チャック７を開口部に備えると共に両側部にサイドガゼット４，５を設けたサイドガゼット包装袋であって、サイドガゼット４，５の上部に形成した開口部１３に通気性テープ１２を備える。【選択図】図１
2005153974.tif 000002
【特許請求の範囲】
【請求項１】
開閉可能な密着チャックを開口部に備えると共に両側部にサイドガゼットを設けたサイドガゼット包装袋において、サイドガゼットの上部に形成した開口部に通気性テープを備えたことを特徴とする通気性チャック付きサイドガゼット包装袋。
【請求項２】
開閉可能な密封チャックを開口部に備えると共に両側部にサイドガゼットを設けたサイドガゼット包装袋において、サイドガゼットの上端縁に開口部を形成し、該開口部を被覆するように通気性テープを袋の内側から袋本体とサイドガゼットに取付けたことを特徴とする請求項１に記載の通気性チャック付きサイドガゼット包装袋。
【請求項３】
開閉可能な密封チャックを開口部に備えると共に両側部にサイドガゼットを設けたサイドガゼット包装袋において、サイドガゼットの上部に開口部を穿設し、該開口部を被覆するように通気性テープを袋の内側から袋本体とサイドガゼットに取付けたことを特徴とする請求項１に記載の通気性チャック付きサイドガゼット包装袋。
【発明の詳細な説明】
【技術分野】
【０００１】
本発明は開閉可能な密封チャックを備えた通気性サイドガゼット包装袋に関するものである。
【背景技術】
【０００２】
従来、この種のサイドガゼット包装袋は、例えば、ココア、コーヒー、大豆、小麦粉、ペットフード等の粉末状、顆粒状及び小粒状の内容物を少しづつ取り出して使用するためにその開口部に開閉自在な密封チャックを設けかつ内容物を増量させるためにその両側部にマチ、即ちサイドガゼットを取付けている（例えば特開平９−１８３１７５号公報）。
【０００３】
また、米や麦等の包装袋として、その表面に通気性テープを取付けた扁平なプラスチック製の通気性包装袋も周知である。
【０００４】
【特許文献１】特開平９−１８３１７５号公報
【発明の開示】
【発明が解決しようとする課題】
【０００５】
上述した従来公知のサイドガゼット包装袋においては、内容物を充填した包装袋をパレット等に積載して運搬する際に、包装袋中に空気が充満しているため、荷崩れが起り、包装袋自体や内容物に影響を及ぼす問題がある。又内容物が発酵性を有する場合には包装袋内の空気を抜いて袋の破裂を防止する必要がある。更に包装袋に単なる孔を穿設した場合には虫や異物が混入する危険及び内容物の漏れが発生する危険がある。
【０００６】
上述した周知のサイドガゼットの無い扁平なビニール製包装袋においては、通気性テープが表面に出現するために接地面又は表面から水等の液体が浸透し、内容物に影響を及ぼす問題があり、更に空気の流入により通気性テープの汚れが目立つ欠点を有している。
【０００７】
本発明の目的は虫や異物の混入或いは内容物の漏れを発生させることなく袋内の空気を抜くことができる通気性チャック付きサイドガゼット包装袋を提供することにある。
【課題を解決するための手段】
【０００８】
本発明による通気性サイドガゼット包装袋は開閉可能な密封チャックを開口部に備えると共に両側部にサイドガゼットを設けたサイドガゼット包装袋において、サイドガゼットの上方に形成した開口部に通気性テープを設けたものである。
【発明の効果】
【０００９】
本発明のサイドガゼット包装袋は袋の開口部に隣接して通気性テープを設けてあるので、袋内の空気を迅速かつ確実に抜くことができ、サイドガゼットの隠れた部分に通気性テープを備えているので、袋のデザインに影響を与えることも、テープの汚れが目立つこともなく、また水等の液体が浸透することもない。更にサイドガゼットに形成した開口部に通気性テープを備えているので虫や異物が汚入することも、又内容物が漏れることもない。加えて通気性テープは袋として負荷のかからない位置に備えられているので、重い重量の内容物に用いても袋自体に損傷等の影響を与えることもない。
【発明を実施するための最良の形態】
【００１０】
図１乃至図３は本発明のサイドガゼット包装袋で開閉利便性の高いスライダタイプのチャック付きガゼット包装袋の第１実施例を示したもので、プラスチック製シートの袋本体１は表面側シート２と、背面側シート３と、両側部のマチ、即ちサイドガゼット４，５とから構成され、袋本体１の開口部にはスライダ６により開閉可能な密封チャック７を取付けている。
【００１１】
密封チャック７はプラスチック製シートの帯状体８，９に取付けた雌トラック１０と雄トラック１１とから構成され、スライダ６を雌トラック１０と雄トラック１１とから成る密封チャック７に嵌合させ、両トラック１０，１１に沿ってスライダ６を密封位置から開封位置に又は開封位置から密封位置にスライドさせることにより密封チャック７を開閉することができ、帯状体８，９を袋本体１の開口部にサイドガゼット４，５と共にヒートシールすることにより密封チャック７をサイドガゼット４，５と共に袋本体１の開口部に取付けることができる。
【００１２】
サイドガゼット４，５と、袋本体１のシート２，３のどちらか一方とを通気性テープ１２で袋の内側からそれらを一体的にヒートシールすることによりサイドガゼット４，５の上端縁に沿って開口部１３を形成できるようにサイドガゼット４，５と、袋本体１のシート２，３のどちらか一方とを通気性テープ１２で取付けてある。図３に示したように通気性テープ１２は袋本体１とサイドガゼット４，５とを接合するヒートシール部１４，１５とを有しており、中間の未ヒートシール部が開口部１３となり、その開口部１３には袋の内側から通気性テープ１２が備えられている。従って、サイドガゼット４，５の上部に形成されかつ通気性テープ１２により被覆された開口部１３から袋内の空気を抜くことができる。
【００１３】
未ヒートシール部を形成する開口部１３はその幅を１〜３０ｍｍ、好ましくは３〜１０ｍｍとし、図示の実施例においては直線で連続的に形成してあるが、曲線にすることもまた断続的に形成することもできる。
【００１４】
開口部１３を被覆する通気性テープ１２は蟻等の昆虫が開口部から侵入するのを防止するため不織布又は微細な孔を有するプラスチックテープから構成してあり、その通気度が測定方法ＪＩＳ  Ｌ１９０６フラジール法で測定して１〜１０００（ＣＣ／ＣＭ２ ／ＳＥＣ）を有するもの、好ましくは２０〜５００、更に好ましくは５０〜３００を有するものを使用する。
【００１５】
図４は本発明による通気性サイドガゼット包装袋の第２実施例を示したものであり、袋本体１は上述した第１実施例のものと同様に表面側シート２と、背面側シート３と、サイドガゼット４，５とから構成され、その開口部にはスライダ６により開閉可能な密封チャック７を取付けている。
【００１６】
第２実施例においては、サイドガゼット４，５の上部に開口部１３を穿設し、該開口部１３を被覆するように袋本体１の内側から通気性テープ１２をサイドガゼット４，５と袋本体１に貼付けてある。従って、サイドガゼット４，５の上部に穿設されかつ通気性テープ１２により被覆された開口部１３から袋内の空気を抜くことができる。開口部１３は袋本体１の内側から通気性テープ１２により被覆されれば、その大きさ、数量、形状を種々選択することができる。図４に示した実施例においては、サイドガゼット４，５の上部に３つの長円形の孔を形成している。
【００１７】
第２実施例のものは第１実施例のものと組合せて実施させることもできる。
【図面の簡単な説明】
【００１８】
【図１】第１実施例の主要部分を示す斜視図である。
【図２】第１実施例の一部分を切欠して示す正面図である。
【図３】図２のＡ−Ａ線に沿う断面図である。
【図４】第２実施例の一部分を切欠して示す正面図である。
【符号の説明】
【００１９】
１      袋本体
２      表面側シート
３      背面側シート
４      サイドガゼット
５      サイドガゼット
６      スライダ
７      密封チャック
８      帯状体
９      帯状体
１０    雌トラック
１１    雄トラック
１２    通気性テープ
１３    開口部
１４    ヒートシール部
１５    ヒートシール部
【図１】
2005153974.tif 000003
【図２】
2005153974.tif 000004
【図３】
2005153974.tif 000005
【図４】
2005153974.tif 000006